(57)【要約】【課題】メモリ効果による影響を低減することができる歪補償回路を提供する。【解決手段】電力増幅装置１は、フィードバックされた出力信号Ｙと参照信号Ｘとが入力され、歪補償回路として機能する逆歪信号発生回路１０と、逆歪信号Ｚをアップコンバートするミキサー１４と、信号を増幅する電力増幅器１１と、出力信号Ｙを取り出す方向性結合器１２と、方向性結合器１２により分配された出力信号Ｙをダウンコンバートするミキサー１５と、周波数変換用のローカル発振器１３と、を有し、逆歪信号発生回路１０は、振幅検出器１９と、電力検出器１８と、振幅微分値テーブル作成部１６と、位相微分値テーブル作成部１７と、振幅微分値のメモリレステーブル２１と、位相微分値のメモリレステーブル２２と、振幅微分値解析器２５及び位相微分解析器２６と、重み付け補間器２７と、乗算器２８と、を有している。【選択図】図１
2010004305.tif 000002
【特許請求の範囲】
【請求項１】
入力信号を増幅する増幅器によって発生した歪成分を補償するプリディストーション方式の歪補償回路において、
増幅器が発生する歪を検出するために、所定の変調方式で変調された入力信号を増幅器に入力して増幅器のＡＭ−ＡＭ特性及びＡＭ−ＰＭ特性の非線形性に起因して発生する歪成分を、少なくとも振幅の時間微分値毎に検出する歪検出手段と、
歪検出手段によって検出された歪成分を予め設定された複数の区分に分けて各区分の補償値を演算する演算手段と、
演算された複数の区分の補償値に基づいて補償信号を入力信号に重畳する補償手段と、
を有することを特徴とする歪補償回路。
【請求項２】
請求項１に記載の歪補償回路において、
歪検出手段は、
入力される変調信号の振幅及び振幅の時間微分値を用いて歪成分を検出することを特徴とする歪補償回路。
【請求項３】
請求項１又は２に記載の歪補償回路において、
演算手段は、
少なくとも上限値と下限値の２区分に分けて補償値を演算することを特徴とする歪補償回路。
【請求項４】
請求項１又は２に記載の歪補償回路において、
補償手段は、
振幅及び振幅の時間微分値によって検出された離散的な歪成分を補間する補間手段を有することを特徴とする歪補償回路。
【請求項５】
請求項３に記載の歪補償回路において、
区分に使用したしきい値は、所定の変調方式で変調された入力信号のピークを含む直線区分によるしきい値、又は、入力信号のピークと入力信号の平均値とを少なくとも含む多直線近似区分によるしきい値であることを特徴とする歪補償回路。
【請求項６】
請求項４に記載の歪補償回路において、
補償手段は、プリディストーション方式による歪補償で残留した残留歪みをさらに除去するための残留歪み除去手段を有することを特徴とする歪補償回路。
【発明の詳細な説明】
【技術分野】
【０００１】
増幅器によって発生した歪成分を補償するプリディストーション方式の歪補償回路に関する。
【背景技術】
【０００２】
一般的に電力増幅器に大きな主信号が入力されると、出力信号に歪成分が加わることがある。携帯電話基地局用の電力増幅器では、高電力効率と低非線形歪特性とが要求されるため、増幅器の入力信号のレベルなどに応じて発生する非線形歪が問題となり歪補償が必要となる。このような要求を満たすためにフィードフォワード方式やプリディストーション方式を用いた歪補償が行われている。
【０００３】
フィードフォワード方式による歪補償では、主増幅器で増幅し、歪を含んだ信号に、逆位相の入力信号を合成し、歪成分のみを抽出する。この抽出した歪成分を歪増幅器で増幅した後に逆位相とし、主増幅器出力に加えることで歪補償を行う。しかし、この方式では、歪増幅器により消費電力が増加し、電力効率を高めることが難しい。
【０００４】
プリディストーション方式による歪補償では、振幅及び位相をそれぞれＡＭ（Ａｍｐｌｉｔｕｄｅ）−ＡＭ（Ａｍｐｌｉｔｕｄｅ）特性及びＡＭ（Ａｍｐｌｉｔｕｄｅ）−ＰＭ（Ｐｈａｓｅ）特性の逆特性となるように変調することで、予め歪を付加した信号を増幅器に入力して歪増幅器を用いること無しに、デジタル信号処理によりプリディストーション方式の歪補償を実現している。
【０００５】
近年、電力増幅器の小型化・低消費電力化・低価格化のため、電力増幅器の様々な歪補償技術が開発されている。一般的に、信号が広帯域になるに従い、増幅器におけるメモリ効果（過去の信号に影響を受けること。）の影響が大きくなり、歪補償特性が劣化する。そして、歪補償効果を高めるためには歪補償回路規模が大きくなるという問題がある。そこで、非特許文献１では増幅器のメモリ効果による歪補償を行うために増加した回路規模を削減する方法が提案されている。
【０００６】
また、非特許文献２には、ＰＨ（Ｐａｒａｌｌｅｌ  Ｈａｍｍｅｒｓｔｅｉｎ）モデルを代表として、良好な歪補償量を得るいくつかの方法が開示されている。さらに、特許文献１には、増幅器のメモリ効果による影響を低減するために、入力信号を偶数乗した結果の時間的な差を用いて、増幅器のメモリ効果に起因して発生する歪成分を補償する技術が示されている。
【０００７】
【特許文献１】特開２００５−１０１９０８号公報
【非特許文献１】本江  直樹，宮谷  徹彦，大久保  陽一，赤岩  芳彦，“メモリ効果を有する電力増幅器に対するデジタルプレディストータ”，電子情報通信学会論文誌  Ｖｏｌ．Ｊ８８−Ｂ  Ｎｏ．１０  ｐｐ．２０６２−２０７１，  ２００５／１０／０１
【非特許文献２】Ｉｓａｋｓｓｏｎ，Ｍ．  Ｗｉｓｅｌｌ，Ｄ．  Ｒｏｎｎｏｗ，Ｄ．  “Ａ  ｃｏｍｐａｒａｔｉｖｅ  ａｎａｌｙｓｉｓ  ｏｆ  ｂｅｈａｖｉｏｒａｌ  ｍｏｄｅｌｓ  ｏｒ  ＲＦ  ｐｏｗｅｒ  ａｍｐｌｉｆｉｅｒｓ”，Ｍｉｃｒｏｗａｖｅ  Ｔｈｅｏｒｙ  ａｎｄ  Ｔｅｃｈｎｉｑｕｅｓ，ＩＥＥＥ  Ｔｒａｎｓａｃｔｉｏｎｓ  ｏｎ  ｐｕｂｌｉｃａｔｉｏｎ  Ｄａｔｅ：Ｊａｎ．２００６  Ｖｏｌｕｍｅ：５４，  Ｉｓｓｕｅ：１  Ｏｎ  ｐａｇｅ（ｓ）：３４８−３５９
【発明の開示】
【発明が解決しようとする課題】
【０００８】
通常、歪補償量と回路規模・演算量とはトレードオフの関係にあり、両方を同時に満たすことは困難であった。また、上述した特許文献及び非特許文献の方法は収束すべきパラメータ数が多く、不安定になりやすい。
【０００９】
上述した理由により、簡単な回路であっても良好な歪補償効果を得ることができ、安定した収束特性を得ることのできる歪補償回路のさらなる開発が望まれていた。そこで、本発明はメモリ効果による影響を低減することができる歪補償回路を提供することを目的とする。
【課題を解決するための手段】
【００１０】
以上のような目的を達成するために、本発明に係る歪補償回路は、入力信号を増幅する増幅器によって発生した歪成分を補償するプリディストーション方式の歪補償回路において、増幅器が発生する歪を検出するために、所定の変調方式で変調された入力信号を増幅器に入力して増幅器のＡＭ−ＡＭ特性及びＡＭ−ＰＭ特性の非線形性に起因して発生する歪成分を、少なくとも振幅の時間微分値毎に検出する歪検出手段と、歪検出手段によって検出された歪成分を予め設定された複数の区分に分けて各区分の補償値を演算する演算手段と、演算された複数の区分の補償値に基づいて補償信号を入力信号に重畳する補償手段と、を有することを特徴とする。
【００１１】
また、本発明に係る歪補償回路において、歪検出手段は、入力される変調信号の振幅及び振幅の時間微分値を用いて歪成分を検出することを特徴とする。
【００１２】
また、本発明に係る歪補償回路において、演算手段は、少なくとも上限値と下限値の２区分に分けて補償値を演算することを特徴とする。
【００１３】
また、本発明に係る歪補償回路において、補償手段は、振幅及び振幅の時間微分値によって検出された離散的な歪成分を補間する補間手段を有することを特徴とする。
【００１４】
また、本発明に係る歪補償回路において、区分に使用したしきい値は、所定の変調方式で変調された入力信号のピークを含む直線区分によるしきい値、又は、入力信号のピークと入力信号の平均値とを少なくとも含む多直線近似区分によるしきい値であることを特徴とする。
【００１５】
さらに、本発明に係る歪補償回路において、補償手段は、プリディストーション方式による歪補償で残留した残留歪みをさらに除去するための残留歪み除去手段を有することを特徴とする。
【発明の効果】
【００１６】
本発明に係る歪補償回路を用いることにより、簡単な回路であっても良好な歪補償効果を得ることができ、安定した収束特性を得ることができるという効果がある。
【発明を実施するための最良の形態】
【００１７】
以下、本発明を実施するための最良の形態（以下実施形態という）を、図面に従って説明する。
【００１８】
図１は、電力増幅装置１の構成を示している。電力増幅装置１は、フィードバックされた出力信号Ｙと増幅すべき信号である参照信号Ｘとが入力され、第１の実施形態に係る歪補償回路として機能する逆歪信号発生回路１０と、逆歪信号Ｚをアップコンバートするミキサー１４と、信号を増幅する電力増幅器１１と、出力信号Ｙを取り出す方向性結合器１２と、方向性結合器１２により分配された出力信号Ｙをダウンコンバートするミキサー１５と、周波数変換用のローカル発振器１３と、を有している。
【００１９】
歪補償回路である逆歪信号発生回路１０は、デジタル回路で構成され、振幅検出器１９と、電力検出器１８と、各メモリテーブルを切り替えて重み付け補間を指示する振幅微分値解析器２５及び位相微分値解析器２６と、これら解析器からの指示に基づいて振幅微分値と位相微分値とを重み付けて補間する重み付け補間器２７と、参照信号Ｘに補償値を掛け合わせる乗算器２８と、を有している。さらに、逆歪信号発生回路１０は、振幅の時間微分値による補償用のテーブルを作成する振幅微分値テーブル作成部１６と、位相の時間微分値による補償用のテーブルを作成する位相微分値テーブル作成部１７と、振幅微分値のメモリレステーブル２１と、位相微分値のメモリレステーブル２２と、を有している。
【００２０】
なお、メモリレステーブル２１，２２の「メモリレス」とは、過去の信号に影響を受けることなく、入力に対して所定の値を１対１で出力する効果をいう。本発明で特徴的な事項は、後述する電力増幅器の歪特性が同一瞬時電力であっても、振幅微分値及び位相微分値によって異なることに基づいて、図１に示すような２種類のテーブル作成部と、過去の信号に影響を受けないメモリレステーブルを所定区分に分けて複数設け、それぞれのメモリレステーブルを切り替えて使用することで、メモリ効果の補償を行うことである。
【００２１】
図２を用いて、例えば、Ｗ−ＣＤＭＡ信号などの入力変調信号に対する出力変調信号の振幅微分値と位相微分値を説明する。一般に出力が大きい増幅器は複数の増幅器を接続して実現される。図２（Ｂ）には、電力増幅器１１ａ，１１ｂに変調信号発生器３１からの入力変調信号Ｐｉを入力して増幅し、出力信号Ｐｏを出力する電力増幅器が示されている。例えば、図２（Ｂ）の後段の増幅器１１ｂは、メモリレスの増幅器として動作するが、電源ラインを伝わって伝達されるノイズ等が前段の増幅器１１ａに回り込むことにより、増幅器１１ａは過去の信号に影響を受け「メモリ」効果を有することがある。また、図２（Ａ）には、入力変調信号Ｐｉのコンスタレーション図を示し、半径方向の長さは振幅を表している。また、振幅方向の変化であるｄＡの時間微分値であるｄＡ／ｄｔは振幅微分値を表し、円周方向の変化により位相を示すΔθの時間微分値であるｄθ／ｄｔは位相微分値を表す。
【００２２】
図３は、入力変調信号Ｐｉの瞬時電力に対する入力変調信号Ｐｉの振幅微分値（Ａ）と、瞬時電力に対する位相微分値（Ｂ）と、の分散を示す統計的に処理した一例である。図３（Ａ）の振幅微分値において、瞬時電力が０ｄＢの時に振幅微分値は−０．５〜＋０．５まで分散し、また、図３（Ｂ）の位相微分値では、瞬時電力が０ｄＢの時に−１０〜＋１０まで分散している。
【００２３】
そこで、瞬時電力に対する振幅微分の依存性を調べるために、図３（Ａ）の振幅微分値において、この分散を下から−０．５以上−０．３未満と、−０．３以上−０．１未満と、−０．１以上＋０．１未満と、＋０．１以上＋０．３未満と、＋０．３以上＋０．５未満と、の５つの区分に分けてしきい値をそれぞれ設定した。
【００２４】
また、瞬時電力に対する位相微分値の依存性を調べるために、図３（Ｂ）の位相微分値において、この分散を下から−５以上−３未満と、−３以上−１未満と、−１以上＋１未満と、＋１以上＋３未満と、＋３以上＋５未満と、の５つの区分に分けてしきい値をそれぞれ設定した。
【００２５】
図４は、瞬時電力に対する振幅微分値の依存性を示しており、図３（Ａ）に示したしきい値の区分毎にデータを抽出し、ＡＭ−ＡＭ特性：図４（Ａ）及びＡＭ−ＰＭ特性：図４（Ｂ）をプロットしたものである。図４（Ａ）のＡＭ−ＡＭ特性には５つの区分のデータが濃淡で示されており、瞬時電力が低い領域と高い領域にてＡＭ特性（ｄＢ）がそれぞれの区分毎に低下し、低下具合はそれぞれ異なっていることが分かる。
【００２６】
また、図４（Ｂ）のＡＭ−ＰＭ特性には、同様に５つの区分のデータが濃淡で示されており、瞬時電力が高くなるに従いＰＭ特性（ｄｅｇ）がそれぞれの区分毎に増加し、増加具合は区分や瞬時電力毎に異なっていることが分かる。
【００２７】
図５は、瞬時電力に対する位相微分値の依存性を示しており、図３（Ｂ）に示したしきい値の区分毎にデータを抽出し、ＡＭ−ＡＭ特性：図５（Ａ）及びＡＭ−ＰＭ特性：図５（Ｂ）をプロットしたものである。図５（Ａ）のＡＭ−ＡＭ特性には５つの区分のデータが濃淡で示されており、瞬時電力が低い領域と高い領域にてＡＭ特性（ｄＢ）がそれぞれの区分毎に低下し、低下具合はそれぞれ異なり、図４（Ａ）の特性と同様に区分や瞬時電力毎に異なっていることが分かる。
【００２８】
また、図５（Ｂ）のＡＭ−ＰＭ特性には、同様に５つの区分のデータが濃淡で示されており、瞬時電力が高くなるに従いＰＭ特性（ｄｅｇ）がそれぞれの区分毎に増加し、増加具合はそれぞれ異なり、図４（Ｂ）の特性と同様に区分や瞬時電力毎に異なっていることが分かる。
【００２９】
図６には、横方向に位相微分値で分けたＡＭ−ＡＭ特性及びＡＭ−ＰＭ特性のテーブル（Ｌｏｏｋ  Ｕｐ  Ｔａｂｌｅ）を配置し、縦方向には振幅微分値で分けたＡＭ−ＡＭ特性及びＡＭ−ＰＭ特性のＬＵＴを配置した補償テーブルが示されている。これらの横方向のテーブルはコンスタレーションの回転方向に対応し、縦方向のテーブルはコンスタレーションの半径方向の上昇と下降に対応している。図６を用いて変調信号の振幅微分値及び位相微分値の依存性による歪を補償するための仕組みを説明する。
【００３０】
電力増幅器のＡＭ−ＡＭ特性及びＡＭ−ＰＭ特性は変調信号の振幅微分値及び位相微分値に依存するので、すべてを補償するためにはＡＭ，ＰＭそれぞれについて４次元テーブルが必要となる。しかし、４次元テーブルを実現するためには回路規模が大きくなりすぎることから現実的ではない。そこで、上述したように、振幅微分値と位相微分値の特性を所定区分に分けて複数のメモリレステーブルとし、図６に示すような補償テーブルとすることで簡略化することができる。さらに、所定区分に分けたメモリレステーブルを少なくとも２枚以上用意して振幅微分値と位相微分値による依存性を補償することが可能となる。
【００３１】
図７は、本発明に係る歪補償回路による歪補償効果実測結果の一例であり、Ｗ−ＣＤＭＡ（約２ＧＨｚ帯）の４キャリア信号を電力増幅器に入力した場合の入力変調信号と、歪補償なし出力信号と、歪補償あり出力信号と、を示している。また、図７の縦軸は電力を示し横軸はオフセット周波数を示している。図７に示すように、歪補償なしの場合には中心周波数から１０ＭＨｚ離れた電力は−５５ｄＢであったものが、補償ありの場合には、安定した収束特性を有すると共に、−８０ｄＢに改善できた。
【００３２】
図８には、第２の実施形態に係る逆歪信号発生回路２０の構成が示されている。本実施形態は、歪補償の収束性及び安定性を重視した構成となっている。図８の逆歪信号発生回路２０では、乗算器３３で参照信号Ｘにメモリレスの逆歪信号を重畳し、乗算器２８でさらにメモリ効果を含む逆歪信号を重畳している。このような構成にすることにより、歪補償回路を起動した後、高速にメモリレス歪を補償し、その後、ゆっくりとメモリ歪を補償して歪補償特性を向上させるといった動作が可能となる。
【００３３】
また、スイッチ４１は電力増幅器の歪特性によって予め歪補償特性のよい方に接続する。例えば、図２（Ｂ）に示す歪モデルの電力増幅器１１ａでは逆歪信号が重畳された入力信号にメモリ効果が重畳されていると考えられるため、スイッチ４１を乗算器３３の出力側に接続することにより、逆歪信号が重畳された入力信号によるメモリ歪を発生させることができる。
【００３４】
図９には、第３の実施形態に係る逆歪信号発生回路３０の構成が示されている。逆歪信号発生回路３０は、振幅テーブル作成部３６と、電力検出器３４と、メモリレステーブル３５と、乗算器３３と、歪補償を選択するスイッチ４１と、位相微分値解析器２６と、レベル調整器４２と、レベル調整器４２の虚数成分を参照信号Ｘに乗じる乗算器２８と、を有している。電力増幅器の特性により、ＡＭ−ＰＭ特性がもっぱら位相微分値に依存する特性を示す場合には、メモリレステーブルを使うことなく、簡略化した回路構成により歪補償効果を得ることが可能となる。
【００３５】
図１０は、本実施形態に係る逆歪信号発生回路のテーブル作成部５０の構成を示している。テーブル作成部５０は、電力増幅器の出力信号Ｙの信号を参照信号Ｘで除した信号を発生するＹ／Ｘ除算器５１と、振幅微分値解析器５２と、位相微分値解析器５３と、振幅微分値と位相微分値とに応じてＹ／Ｘ除算器５１からの信号の取捨選択を行うスイッチ５５と、選択されたデータに基づいてヒストグラム化及び平均化を行うヒストグラム演算器５６と、得られた離散値から多項式を算出する多項式係数算出回路５７と、逆特性化するＬＵＴ値計算回路５８と、を有している。
【００３６】
図１０の振幅微分値解析器５２は、参照信号Ｘの振幅微分値を求め、しきい値判定回路５４に与え、同様にして、位相微分値解析器５３は、参照信号Ｘの位相微分値を求め、しきい値判定回路５４に与える。しきい値判定回路５４は、参照信号Ｘが予め設定されたしきい値の範囲にあるかどうかを判定し、所定の範囲であるときのみ、スイッチ５５を操作する。なお、しきい値設定は振幅微分値のみ、位相微分値のみ、あるいは、両方の組み合わせが可能である。スイッチ５５は、しきい値判定回路５４から許可があった場合のみ、Ｙ／Ｘ除算器５１からのデータを有効にする。
【００３７】
図１０のヒストグラム演算器５６は、有効データを入力電力値で区分し、区間要素毎に累積し、度数を計測する。この度数を一定時間累積後、区間要素ごとに度数で除することにより平均化してヒストグラムを作成する。作成されたヒストグラムは、多項式係数算出回路５７によりヒストグラムを多項式で近似し、多項式係数を出力する。近似には例えば、最小二乗法を利用する。ＬＵＴ値計算回路は、近似された多項式係数を利用してＬＵＴ値を計算し、Ｙ／Ｘ除算器を使用する場合には、逆特性化する。以上の構成により、しきい値で区分された複数のＬＵＴ（ＡＭ−ＡＭ特性、ＡＭ−ＰＭ特性）を作成可能である。なお、位相微分値の解析手法として、アークタンジェントテーブルを利用する方法、ヒルベルト変換を利用する方法等を用いても好適に解析可能である。
【００３８】
図１１は、本実施形態に係るしきい値設定のための一例である。図３に示したような直線的なしきい値設定では、処理が簡単になる反面、瞬時電力のピークが存在しない領域（例えば、−０．５以上−０．３未満など）が存在し、多項式近似精度が劣化するという欠点がある。そこで、図１１に示すような変調信号の分布に従った多直線によるしきい値によりテーブル１の領域とテーブル２の領域とを設定することにより、瞬時電力のピーク値と平均値（０ｄＢ付近）とを含ませることができるため、図６の中央のテーブルを削除できるだけでなく、多項式近似精度を向上させ、歪補償性能を改善することが可能となる。
【００３９】
以上、上述したように、本実施形態に係る歪補償回路を用いることにより、簡単な回路であっても良好な歪補償効果を得ることができ、安定した収束特性を得ることが可能となる。なお、本実施形態では、包絡線変動を伴うＷ−ＣＤＭＡ方式の歪補償回路について説明したが、これに限定するものではなく、ＯＦＤＭ方式、多値ＱＡＭ方式及びＱＰＳＫ方式に用いても好適である。
【図面の簡単な説明】
【００４０】
【図１】本発明の第１の実施形態に係る歪補償回路として機能する逆歪信号発生回路を含む電力増幅装置の構成を示す構成図である。
【図２】入力変調信号に対する出力変調信号の振幅微分値と位相微分値を説明する説明図である。
【図３】入力変調信号の瞬時電力に対する出力変調信号の振幅微分値と位相微分値との分散を示す実測データ図の一例である。
【図４】振幅微分値の依存性を説明する説明図である。
【図５】位相微分値の依存性を説明する説明図である。
【図６】変調信号の振幅微分値及び位相微分値の依存性による歪を補償するための仕組みを説明する説明図である。
【図７】本発明に係る歪補償回路による歪補償効果実測結果の一例である。
【図８】本発明の第２の実施形態に係る歪補償回路となる逆歪信号発生回路の構成を示す構成図である。
【図９】本発明の第３の実施形態に係る歪補償回路となる逆歪信号発生回路の構成を示す構成図である。
【図１０】本発明の実施形態に係るテーブル作成部の構成を示す構成図である。
【図１１】本発明の実施形態に係るしきい値設定のための一例を示す実施例である。
【符号の説明】
【００４１】
１  電力増幅装置 、１０，２０，３０  逆歪信号発生回路、１１  電力増幅器、１２  方向性結合器、１３  ローカル発振器、１４，１５  ミキサー、１６  振幅微分値テーブル作成部、１７  位相微分値テーブル作成部、１８，３４  電力検出器、１９  振幅検出器、２１，２２，３５  メモリレステーブル、２５，５２  振幅微分値解析器、２６，５３  位相微分値解析器、２７  重み付け補間器、２８，３３  乗算器、３１  変調信号発生器、３６  振幅テーブル作成部、３７，３８  除算器、４１，５５  スイッチ、４２  レベル調整器、５０  テーブル作成部、５１  Ｙ／Ｘ除算器、５４  しきい値判定回路、５６  ヒストグラム演算器、５７  多項式係数算出回路、５８  ＬＵＴ値計算回路。
【図１】
2010004305.tif 000003
【図２】
2010004305.tif 000004
【図３】
2010004305.tif 000005
【図６】
2010004305.tif 000006
【図７】
2010004305.tif 000007
【図８】
2010004305.tif 000008
【図９】
2010004305.tif 000009
【図１０】
2010004305.tif 000010
【図１１】
2010004305.tif 000011
【図４】
2010004305.tif 000012
【図５】
2010004305.tif 000013